(57)【要約】  保護眼鏡上の望ましくない集中加熱個所を防ぎながら、スキー用ゴーグル、潜水マスク、医療またはテスト用フェースシールドなどにおいて使用する曇り防止のために適応された保護眼鏡装置であって、光学的に透明な基板を有し、その基板上に複数の導電性領域が画定され、１若しくはそれ以上のチャネルの電力供給される回路に接続されたものである保護眼鏡装置。基板上の領域は、第１の実施形態では互いに電気的に絶縁され、基板上の領域は、第２の実施形態では、電気的に絶縁されないか、または基板上の隣接する領域と連続する。領域は、サイズが均一であるか、またはある領域から次の領域へとサイズおよび形状が変化し得、領域に適用される加熱材料の抵抗率毎スクウェアは、加熱材料の配合および／または加熱材料の厚さに基づいて選択され得る。
2016539667.tif 000002
【特許請求の範囲】
【請求項１】
所与の電圧で電力供給される回路とともに使用されるように構成された保護眼鏡（ｅｙｅ  ｓｈｉｅｌｄ）であって、前記回路は当該保護眼鏡の曇りを防止し、当該保護眼鏡上における集中加熱個所の発生を防止するものであり、当該保護眼鏡は、
光学的に透明な基板であって、利用者の眼のうちの少なくとも１つを保護するように構成され、当該利用者の眼のうちの少なくとも１つと当該基板との間に少なくとも部分的に包囲される空間を画定するように構成されるものである、前記光学的に透明な基板と、
前記基板上の光学的に透明で且つ電気抵抗性の薄膜導電性加熱材料からなる複数の導電性領域と
を有する保護眼鏡。
【請求項２】
請求項１記載の保護眼鏡において、導電性領域の数および各導電性領域のサイズは、所定の電力密度に従って決定されるものである保護眼鏡。
【請求項３】
請求項２記載の保護眼鏡において、各領域の前記電力密度は、当該各領域以外の各々の領域の電力密度と同じである保護眼鏡。
【請求項４】
請求項２記載の保護眼鏡において、少なくとも１つの領域の前記電力密度は、別の領域の前記電力密度とは異なるものである保護眼鏡。
【請求項５】
請求項１記載の保護眼鏡において、さらに、
前記導電性領域に接続され、前記導電性領域を前記電力供給される回路と相互接続するように構成された少なくとも２つのバスバーを有するものである保護眼鏡。
【請求項６】
請求項１記載の保護眼鏡において、各導電性領域は、前記基板上の電気的に非導電性のエリアによって絶縁されるものである保護眼鏡。
【請求項７】
請求項６記載の保護眼鏡において、さらに、
前記導電性領域の各々に接続され、各前記導電性領域を前記電力供給される回路と相互接続するように構成された複数の導電性バスバーを有するものである保護眼鏡。
【請求項８】
請求項１記載の保護眼鏡において、前記複数の導電性領域のうちの少なくとも１つにおける前記加熱材料は、前記複数の導電性領域のうちの別の導電性領域における前記加熱材料の特定の抵抗率毎スクウェアとは異なる特定の抵抗率毎スクウェアを有するものである保護眼鏡。
【請求項９】
請求項６記載の保護眼鏡において、前記複数の導電性領域のうちの少なくとも１つにおける前記加熱材料は、前記複数の導電性領域のうちの別の導電性領域における前記加熱材料の特定の抵抗率毎スクウェアとは異なる特定の抵抗率毎スクウェアを有するものである保護眼鏡。
【請求項１０】
請求項８記載の保護眼鏡において、前記複数の導電性領域のうちの少なくとも１つにおける前記加熱材料の配合は、前記加熱材料の所与の抵抗率毎スクウェアに従って選択されるものである保護眼鏡。
【請求項１１】
請求項９記載の保護眼鏡において、前記複数の導電性領域のうちの少なくとも１つの前記加熱材料の配合は、前記加熱材料の所与の抵抗率毎スクウェアに従って選択されるものである保護眼鏡。
【請求項１２】
請求項８記載の保護眼鏡において、前記複数の導電性領域のうちの少なくとも１つにおける前記加熱材料の前記抵抗率毎スクウェアは、少なくとも部分的に、前記基板に対して前記加熱材料を適用する厚さを変化させることによって決定されるものである保護眼鏡。
【請求項１３】
請求項８記載の保護眼鏡において、前記複数の導電性領域のうちの少なくとも１つにおける前記加熱材料の前記抵抗率毎スクウェアは、少なくとも部分的に、前記基板に対して前記加熱材料を適用する厚さを変化させることによって決定されるものである保護眼鏡。
【請求項１４】
請求項１記載の保護眼鏡において、各前記導電性領域の前記電力密度は、前記基板にわたる一様な加熱のために各前記導電性領域以外の各々の前記導電性領域に対して平衡されるものである保護眼鏡。
【請求項１５】
請求項１記載の保護眼鏡において、前記基板は不規則な形状を有するものである保護眼鏡。
【請求項１６】
請求項８記載の保護眼鏡において、前記複数の導電性領域の少なくとも１つの領域は、前記複数の導電性領域のうちの別の導電性領域の前記電力密度とは異なる電力密度を有するものである保護眼鏡。
【請求項１７】
請求項９記載の保護眼鏡において、前記複数の導電性領域の少なくとも１つの領域は、前記複数の導電性領域のうちの別の導電性領域の前記電力密度とは異なる電力密度を有するものである保護眼鏡。
【請求項１８】
所与の電圧で電力供給される回路とともに使用されるように構成された保護眼鏡であって、前記回路は当該保護眼鏡の曇りを防止し、当該保護眼鏡上における集中加熱個所の発生を防止するものであり、当該保護眼鏡は、
光学的に透明な基板であって、利用者の眼を保護するように構成され、当該利用者の眼と前記基板との間に少なくとも部分的に包囲された空間を画定するように構成されるものである、前記光学的に透明な基板と、
前記基板上の光学的に透明で且つ電気抵抗性の薄膜導電性加熱材料からなる、複数の電気的に絶縁された導電性領域であって、
各領域の電力密度は、当該各領域以外の各々の領域の電力密度と同じであり、
前記複数の導電性領域のうちの少なくとも１つにおける前記加熱材料は、前記複数の導電性領域のうちの別の導電性領域における前記加熱材料の特定の抵抗率毎スクウェアとは異なる特定の抵抗率毎スクウェアを有するものである、
前記複数の電気的に絶縁された導電性領域と
を有する保護眼鏡。
【請求項１９】
所与の電圧で電力供給される回路とともに使用されるように構成された保護眼鏡であって、前記回路は当該保護眼鏡の曇りを防止し、当該保護眼鏡上における集中加熱個所の発生を防止するものであり、当該保護眼鏡は、
光学的に透明な基板であって、利用者の眼を保護するように構成され、当該利用者の眼と前記基板との間に少なくとも部分的に包囲された空間を画定するように構成されるものである、前記光学的に透明な基板と、
前記基板上の光学的に透明で且つ電気抵抗性の薄膜導電性加熱材料からなる、複数の連続した導電性領域であって、
各領域の電力密度は、当該各領域以外の各々の領域の電力密度と同じであり、
前記複数の導電性領域のうちの少なくとも１つにおける前記加熱材料は、前記複数の導電性領域のうちの別の導電性領域における前記加熱材料の特定の抵抗率毎スクウェアとは異なる特定の抵抗率毎スクウェアを有するものである、
前記複数の連続する導電性領域と
を有する保護眼鏡。
【請求項２０】
請求項１８記載の保護眼鏡において、前記複数の導電性領域のうちの前記少なくとも１つにおける前記加熱材料の前記抵抗率毎スクウェアは、少なくとも部分的に、前記基板に対して前記加熱材料を適用する厚さを変化させることによって決定されるものである保護眼鏡。
【請求項２１】
請求項１９記載の保護眼鏡において、前記複数の導電性領域のうちの前記少なくとも１つにおける前記加熱材料の前記抵抗率毎スクウェアは、少なくとも部分的に、前記基板に対して前記加熱材料を適用する厚さを変化させることによって決定されるものである保護眼鏡。
【請求項２２】
請求項１８記載の保護眼鏡において、前記複数の導電性領域のうちの前記少なくとも１つにおける前記加熱材料の配合は、前記加熱材料の所与の抵抗率毎スクウェアに従って選択されるものである保護眼鏡。
【請求項２３】
請求項１９記載の保護眼鏡において、前記複数の導電性領域のうちの前記少なくとも１つにおける前記加熱材料の配合は、前記加熱材料の所与の抵抗率毎スクウェアに従って選択されるものである保護眼鏡。
【発明の詳細な説明】
【技術分野】
【０００１】
関連出願の相互参照
本出願は、２０１４年０９月２９日付けで出願された、「ＭＵＬＴＩＲＥＧＩＯＮ  ＨＥＡＴＥＤ  ＥＹＥ  ＳＨＩＥＬＤ」に関する米国特許出願第１４／０４０，６８３号（以下、「優先権出願」と言う）に対して利益および優先権を主張する。本優先権出願は、２０１２年２月１６日付けで出願された、「ＰＷＭ  ＨＥＡＴＩＮＧ  ＳＹＳＴＥＭ  ＦＯＲ  ＥＹＥ  ＳＨＩＥＬＤ」に関する米国特許出願第１３／３９７，６９１号（以下、「親出願」と言う）の一部継続出願である（２０１３年８月２２日付けで米国特許出願公開第２０１３−０２１２７６５号として公開、米国特許第８５６６９６２号として発行）。前記親出願はまた、ＰＣＴ特許出願第ＰＣＴ／ＵＳ２０１３／０２６２２７号として出願されており、この参照により本明細書に組み込まれる。
【０００２】
本発明は、電子電源により電力供給される曇り防止システムの一部として使用される場合、曇りを防止するように構成された曇り防止用保護眼鏡（ａｎｔｉ−ｆｏｇ  ｅｙｅ  ｓｈｉｅｌｄｓ）に関し、より具体的には、保護眼鏡上に分配された抵抗膜加熱体を有することにより、レンズの一様な加熱または代替的にレンズの加熱のカスタマイゼーションを可能にし、曇り防止用ゴーグル、曇り防止用潜水マスクまたは他のポータブルで透明な曇りを防止するための眼の保護具において使用する曇り防止用保護眼鏡に関する。
【背景技術】
【０００３】
スポーツ用ゴーグル、潜水マスクおよび他の高度にポータブルな透明の眼の保護具を使用することは、保護眼鏡上の結露堆積に寄与し、曇りによる視覚の一様な瞬時的障害が問題になり得る状況を伴う環境ではしばしば望ましい。そのような保護眼鏡の温度は、露点温度、すなわち、それを下回ると水滴が凝縮し始め露が形成し得る気温を下回ったとき、曇りが発生してしまう。
【０００４】
そのようなポータブル眼の保護具の通例の特性は、それらが利用者の頭部に着用されるのに十分軽量であり、利用者の顔に比較的近接して配置されるしたがって、利用者の呼吸および体熱が曇りの状態を悪化させることである。冬のアクティビティ中の使用を対象とする、曇りを起こしやすいスポーツ用ゴーグルの例は、ダウンヒルスキー、クロスカントリースキー、スノーボード、スノーモービリング、そり滑べり、チュービング、アイスクライミングなどのためのゴーグルを含んでおり、雪の多いおよび他の厳しい寒冷な気象条件において屋外にいることをその義務またはアクティビティが要求するスポーツ愛好家などによって広く知られ、広く利用されている。曇りを起こしやすい潜水マスクの例は、呼吸装置とは独立した眼および鼻マスク、ならびに呼吸装置がマスクに組み込まれたフルフェースマスクを含んでいる。曇りを起こしやすい眼の保護具の例は、医師または歯科医が着用して病原体が利用者の口または眼に入るのを防ぎ得るフェースシールド、あるいはオートバイの透明フェースシールド部分またはスノーモービルヘルメットを含んでいる。視覚を損なう曇りは、そのようなゴーグル、潜水マスクおよび眼の保護具に共通の問題である。
【０００５】
眼の保護具のための保護眼鏡上の結露堆積を防ぐために考案された様々な導電性装置があり、その一方、薄膜加熱体を有する矩形保護眼鏡は、保護眼鏡にわたって一様に加熱され得るが、保護眼鏡に対する薄膜加熱材料の構成および適用によって、保護眼鏡の一様な加熱、または代替的にレンズ加熱プロファイルに従う保護眼鏡のカスタマイズされた加熱を可能にする薄膜加熱システムを保護眼鏡中に採用するための方法をいずれも教示していない。これらの導電性装置の目的は、利用者が視覚的アクティビティ中に妨げられない視覚を享受することが可能であり得ように、結露なしに保たれ得る保護眼鏡を単に提供することであり、そのようなものとして、それらは、不規則な形状に形成されたレンズ上に集中加熱個所を生じるという問題を起こしやすく、レンズのカスタマイズ可能な加熱を提供しなかった。電子システムを有する従来のスポーツゴーグルは、高度のポータビリティを必要とする環境において主に使用されており、すなわち、ここで、デバイスの電子回路に電力供給するための電源は、ＭｃＣｕｌｌｏｃｈらによる「Ｇｏｇｇｌｅ  ｗｉｔｈ  Ｅａｓｉｌｙ  Ｉｎｔｅｒｃｈａｎｇｅａｂｌｅ  Ｌｅｎｓ  ｔｈａｔ  ｉｓ  Ａｄａｐｔａｂｌｅ  ｆｏｒ  Ｈｅａｔｉｎｇ  ｔｏ  Ｐｒｅｖｅｎｔ  Ｆｏｇｇｉｎｇ」に関する同時係属米国特許出願第１３／５１９，１５０号に図示および説明されているように、ゴーグル用のストラップ上にまたはゴーグル自体の上に有利に支持されている。
【０００６】
ゴーグルレンズの加熱を提供する開示のいくつかの例は以下を含む。Ｃｕｒｃｉｏによる「Ｅｌｅｃｔｒｉｃａｌｌｙ  Ｈｅａｔｅｄ  Ｓｋｉ  Ｇｏｇｇｌｅｓ」に関する米国特許第４，８６８，９２９号は、曇り防止のために保護眼鏡の加熱を引き起こすために適応された外部電源パックにスイッチングデバイスを介して動作可能に接続された埋込み抵抗性ワイヤを有する保護眼鏡を有する。Ｃｕｒｃｉｏの開示は、レンズ上に薄膜加熱材料のある構成を採用することによる、レンズの一様な加熱、または代替的にレンズのカスタマイズされた加熱を教示しない。
【０００７】
Ｌｅｂｅｌらによる「Ｒｅｖｅｒｓｉｂｌｅ  Ｓｔｒａｐ−Ｍｏｕｎｔｉｎｇ  Ｃｌｉｐｓ  ｆｏｒ  Ｇｏｇｇｌｅｓ」に関する米国特許出願公開第２００９／０１５１０５７号、およびＷｅｌｃｈｅｌらによる「Ｅｙｅｗｅａｒ  ｗｉｔｈ  Ｈｅａｔｉｎｇ  Ｅｌｅｍｅｎｔｓ」に関する米国特許第７，６４８，２３４号は、保護眼鏡バンドまたは保護眼鏡アーム上に支持されたバッテリーからの電力をオンにするための押しボタンスイッチで保護眼鏡を加熱するために使用される薄膜加熱要素の使用を開示している。ＬｅｂｅｌらとＷｅｌｃｈｅｌらのいずれも、レンズ上に薄膜加熱材料のある構成を採用することによる、不規則な形状に形成されたレンズの一様な加熱、または代替的にレンズのカスタマイズされた加熱を教示しない。
【０００８】
Ｒｅｕｂｅｒらによる「Ｄｏｕｂｌｅ  Ｌｅｎｓ  Ｅｌｅｃｔｒｉｃ  Ｓｈｉｅｌｄ」に関する米国特許第５，３５１，３３９号は、不規則な形状に形成されたバイザーレンズ上に導電性フィルムが堆積される、一様でない加熱の問題を認識しており、導電性フィルム上の電流のかなり均一な流れのために電極間距離を実質的に同じにさせるという問題に対処する特定のバスバー構成（電極５０および６０）を提案している。しかしながら、Ｒｅｕｂｅｒらは、レンズ上に薄膜加熱材料のある構成を採用することによる、レンズの一様な加熱、または代替的に加熱プロファイルに従うレンズのカスタマイズされた加熱を開示しない。さらに、Ｒｅｕｂｅｒらの保護眼鏡は、利用者の鼻の鼻柱にわたって適合するように適応されたカットアウト部分を有する従来のゴーグルの保護眼鏡よりも均一であった。したがって、Ｒｅｕｂｅｒらの電極バスバーの構成は、より従来のゴーグルレンズ構成には不十分であろう。
【０００９】
このように、電気的加熱を採用したスポーツゴーグルでの問題は、不規則な形状に形成された保護眼鏡の表面全体にわたる一様でない加熱という問題である。ゴーグルおよび潜水マスク、ならびにそれらの保護眼鏡は、着用者の顔に近い位置を保つために必要とされ、また周辺視のために鼻のためのカットアウトおよび拡張されたエッジを可能にする、不規則な形状を伴って製造される。例えば、公開されている、Ｂｉｄｄｅｌによる「Ａｎｔｉ−Ｆｏｇｇｉｎｇ  Ｄｅｖｉｃｅ  ａｎｄ  Ａｎｔｉ−Ｆｏｇｇｉｎｇ  Ｖｉｅｗｉｎｇ  Ｍｅｍｂｅｒ」に関する米国特許出願公開第２００８／０２９００８１号、およびＥｌｅｎｅｗｓｋｉによる「Ｖｉｓｏｒ  Ｄｅｆｒｏｓｔｅｒ」に関する米国特許第４，６３８，７２８号に記載された、保護眼鏡レンズ上にまたはその内部に蛇状ワイヤが含まれる、保護眼鏡の表面全体にわたって保護眼鏡を一様に加熱するための様々な一般的な試みが行われたが、薄膜加熱体を用いた、不規則な形状に形成された保護眼鏡の一様な加熱、またはそのような保護眼鏡のカスタマイズされた加熱は、従来技術において教示されていない。
【００１０】
Ｌｅｂｅｌらのデバイスでは集中加熱個所が発生しやすく、限られたバッテリー電源を適用するデバイスの使用により、バッテリーは過度に放電された。集中加熱個所が生じる理由は、保護眼鏡上の抵抗要素にわたる電気的接続間の電気的抵抗率が、端子接続間の距離がより小さいエリアでは消費される電流の量がより大きく、端子接続との間の距離がより大きいエリアでは消費される電流の量がより小さいように、保護眼鏡上の異なるロケーションにおいてより小さいかまたはより大きいからである。例えば、抵抗配線適用例において端子がレンズの両側にある場合、ワイヤがある端子から他の端子まで進む必要がある距離は、鼻柱にわたって眼の上下を進むワイヤのほうが、レンズの中心部分にわたってより短い距離を進む他のワイヤよりも大きかったので、レンズを一様に加熱するのに問題があった。曇りの状態を克服するために、十分な電力を印加して、より小さいエリアを過熱させて、端子接続点間の距離が最も大きいエリアにおける曇りを克服することが必要であり、これは電力を浪費する。このようにして、問題は、ゴーグル保護眼鏡の加熱の有用性を限定することになっている。保護眼鏡の不規則な形状のために、人が抵抗性ワイヤ適用例を考慮しているかまたは抵抗性膜適用例を考慮しているかにかかわらず、これらの問題は存在する。
【００１１】
ゴーグルと潜水マスクとに特に関連するさらに別の問題は、デバイスの保護眼鏡部分と利用者の顔との間に提供される空間量である。十分な空間が提供されない場合、ゴーグルまたはマスク内での補正レンズを有する眼鏡の着用は妨害されている。さらに、デバイスのシールド部分と利用者の眼との間に過剰な距離が提供された場合、ゴーグルまたはマスク・アイ・シールド自体に補正用レンズを組み込む能力は妨害されている。利用者の眼と保護眼鏡との間の距離の増加は、典型的な空気流依存の曇り防止ゴーグルにおける曇り防止能力を改善しているが、利用者の眼からそのような大きい距離に保護眼鏡を配置して曇り防止を可能にすると、必要な視覚補正を行うのにレンズにおいて必要なより高い程度の曲率に適応するために過大なレンズ厚さがそれによって必要とされ得るので、ゴーグル用補正レンズは視覚を補正するのにあまり効果的でなくなる。このように、ゴーグル用補正レンズまたは潜水マスクの技術において長く必要とされているものは、保護眼鏡用補正レンズが利用者の眼に十分に近くなって視覚補正観点から適切に機能することを可能にし得るだけでなく、同時に、効果的な曇り防止も可能である技術である。このように、保護眼鏡の領域を平衡させて、電力を過度に使用または集中加熱個所が発生することなく、視覚補正用レンズのために、利用者の眼と保護眼鏡自体との間が大きく離間することなく、保護眼鏡表面全体にわたる保護眼鏡の一様な加熱を可能にする必要が生じている。
【発明の概要】
【課題を解決するための手段】
【００１２】
本発明の多領域保護眼鏡（ｍｕｌｔｉｐｌｅ−ｒｅｇｉｏｎ  ｅｙｅ  ｓｈｉｅｌｄ）は、保護眼鏡またはレンズ面上に薄膜導電性加熱要素を提供し、この加熱要素は、例えば、眼の真正面と比較した場合、鼻柱のすぐ上方など、レンズの不規則で異なる形状に応じて複数の領域に分割され、それにより、当該異なる形状に形成またはサイズ決定された領域の一様な加熱、または代替的にカスタム加熱が可能となる。
【００１３】
本発明の一観点によれば、所与の電圧で電力供給される回路とともに使用されるように構成された保護眼鏡が提供され、前記回路は当該保護眼鏡の曇りを防止し、保護眼鏡上の集中加熱個所（ｈｏｔ  ｓｐｏｔ）の発生を防止する。本発明のこの観点による保護眼鏡は、利用者の眼のうちの少なくとも１つを保護するように構成され、利用者の眼のうちの少なくとも１つと基板との間の少なくとも部分的に包囲される空間を画定するように構成された光学的に透明な基板と、前記基板上の光学的に透明で且つ電気抵抗性の薄膜導電性加熱材料からなる複数の導電性領域とを有する。好ましくは、本発明のこの観点によれば、保護眼鏡が不規則な形状に形成された保護眼鏡である場合でも、保護眼鏡全体にわたって実質的に一様に加熱することが可能な保護眼鏡が提供される。
【００１４】
好ましくは、本発明のこの観点によれば、導電性領域の数および各導電性領域のサイズは、不規則な形状に形成されたレンズの領域の所定の電力密度に従って決定される。本発明のこの観点の一実施形態によれば、各領域の電力密度は、好ましくは当該各領域以外の各々の領域の電力密度と同じである。本発明のこの観点の別の実施形態によれば、少なくとも１つの領域の電力密度は、別の領域の電力密度とは異なり得る。
【００１５】
基板上の複数の領域の数および各領域のサイズは、加熱プロファイルに従って作られることも、または作られないこともある。この点について、加熱プロファイルは、レンズの設計者が、実現可能な程度まで、本発明のこの観点に従うようにレンズ基板にわたって一様な加熱を望み得るという、単にレンズの設計者側での理解であり得る。または、本発明の別の観点によれば、理解、またはプロファイルは、例えばスキーヤーと比較したスノーボーダーの場合が当てはまり得るように、保護眼鏡のカスタム加熱を伴い得る。加熱プロファイルは、典型的には、保護眼鏡の１若しくはそれ以上の部分が保護眼鏡の他の部分よりも意図的に温かくされるべきである場合（例えば、保護眼鏡のある側が別の側よりも温かい場合、またはエッジが中央よりも温かい場合）に使用され得る。このように、例えば、スノーボーダーの場合、スノーボーダーは典型的に丘陵を下降しながら横向きに立つので、スノーボーダーの前方の足に対応するレンズの１つの側はより多くの熱を必要とし得る。本発明の一様な加熱の観点、または本発明のカスタム加熱の観点のいずれかによれば、加熱プロファイルは、画定されたレンズ加熱材料領域、レンズ加熱材料領域のサイズおよび形状の特定、相対的に増加された加熱または減少された加熱の所望の領域、ならびにそれぞれの領域電力密度の特定または計算のうちの１若しくはそれ以上を含む、より詳細な書込みプロファイルを含み得る。このように、加熱プロファイルは、極めて単純で、単に一様に理解され得るか、またはより複雑で一様に書き込まれ得、ある導電性領域から次の導電性領域への保護眼鏡にわたる平衡したまたは一様な加熱が望まれるかどうか、あるいは所与の保護眼鏡構成または目的のために領域の各々についての完全なまたは比例の加熱のカスタムプロファイルがより望まれ得るかどうかを決定する。本発明を使用して、一様に加熱されるかまたは代替的にカスタム加熱プロファイルに従って加熱される、規則的な形状に形成された保護眼鏡と不規則なな形状に形成された保護眼鏡の両方を生成し得る。
【００１６】
本発明の一実施形態では、各導電性領域は保護眼鏡基板上の導電性エリアによって絶縁される。本発明のこの実施形態は、設計者および製造業者が、Ｃｏｒｎｅｌｉｕｓによる同時係属米国特許出願公開第１３／３９７，６９１号、米国特許出願公開第２０１３／０２１２７６５号に記載されているもののように、別個の電子回路チャネルで保護眼鏡の別個のエリアの駆動を提供することを可能にする。
【００１７】
本発明の別の実施形態では、各導電性領域は、保護眼鏡上の加熱材料の隣接する領域と連続的に提供される。本発明のこの実施形態は、設計者および製造業者が、ＰＷＭ制御を用いてまたは用いずに、一様に加熱するかあるいはプロファイルに従って加熱する保護眼鏡を生成することを可能にし、したがって、本発明のこの実施形態はゴーグルの製造を簡略化し、したがって、コストがあまりかからないゴーグルを可能にする。
【００１８】
上記で説明した本発明のいずれかの実施形態に関して、本発明のこの観点による保護眼鏡は、さらに、導電性領域に接続され、導電性領域を電力供給される回路と相互接続するように構成された少なくとも２つのバスバーを有し得る。本発明のこの実施形態は、保護眼鏡の設計者および製造業者が、ゴーグル中に提供される単一のチャネル回路を用いて作業することを可能にする。代替的に、本発明のいずれかの実施形態では、本発明のこの観点による保護眼鏡は、さらに、前記導電性領域の各々に接続され、各前記導電性領域を電力供給される回路と相互接続するために構成された複数の導電性バスバーを有し得る。本発明のこの実施形態は、加熱される保護眼鏡の設計者および製造業者が、マルチチャネル回路を用いて作業して保護眼鏡の加熱へのより一層強力な制御を提供することを可能にする。
【００１９】
いずれかの本発明の観点によれば、および本発明の実施形態のいずれかを用いて、加熱材料の特定の抵抗率は、例えば１０オーム毎スクウェア（ｏｈｍ  ｐｅｒ  ｓｑｕａｒｅ）ＩＴＯ（または他の加熱材料）、２０オーム毎スクウェアＩＴＯなど、加熱材料の異なる配合（ｆｏｒｍｕｌａｔｉｏｎ）に従って変化され得るか、あるいは加熱材料の厚さを変化させてこの抵抗率を変化させ得る。あるいは、代替的に、本発明のいずれかの観点によれば、異なる配合と、加熱材料の変化する厚さとの何らかの組合せが採用され得る。したがって、発明のいずれかの観点および本発明の実施形態のいずれかによれば、保護眼鏡の複数の導電性領域のうちの少なくとも１つの加熱材料は、保護眼鏡の複数の導電性領域のうちの別の導電性領域の加熱材料の特定の抵抗率毎スクウェアとは異なる特定の抵抗率毎スクウェアを有するように提供され得る。さらに、複数の導電性領域のうちの少なくとも１つの加熱材料の配合は、加熱材料の所与の抵抗率毎スクウェアに従って選択され得る。またさらに、複数の導電性領域のうちの少なくとも１つの加熱材料の抵抗率毎スクウェアは、少なくとも部分的に、基板に対してい加熱材料を適用する厚さを変化させることによって決定され得る。このようにして、保護眼鏡の設計者および製造業者は、加熱プロファイルを用いるかまたは用いないにかかわらず、本発明のいずれかの観点またはいずれかの実施形態に従って利用可能な材料および厚さから選択することによって、保護眼鏡およびそれの所望の加熱特性を設計する上でより大きな柔軟性が可能となる。設計および製造中の保護眼鏡のための設計オプションのそのような柔軟性により、複数の導電性領域にわたる電力密度の平衡化は、所与のサイズ、形状、電圧入力および電力密度の要件を達成するのがより容易になる。
【００２０】
また、（電気的に絶縁された加熱領域の実施形態におけるかまたは連続する加熱領域の実施形態におけるかにかかわらず）本発明のカスタマイズされた加熱の観点および／または実施形態を有する保護眼鏡に関して、複数の導電性領域のうちの少なくとも１つの領域が、当該複数の導電性領域のうちの別の領域の電力密度とは異なる電力密度を有するように提供され得ることが上記から明らかであろう。したがって、抵抗率毎スクウェアあるいは厚さが、同じ保護眼鏡上の別のまたは他の導電性領域または加熱要素とは異なる１若しくはそれ以上の導電性領域を採用することにより、カスタム加熱プロファイルがより容易となり、極限条件における性能要件、カスタム適用、非常に不規則な形状に形成された保護眼鏡など、特定の必要に適応することが可能となる。
【００２１】
本発明の別の観点によれば、すべての本発明の実施形態について、一様な加熱プロファイルが使用されるかカスタム加熱プロファイルが使用されるかにかかわらず、一様でない加熱を通常ならば起こしやすいことがある保護眼鏡は不規則な形状の保護眼鏡であるので、保護眼鏡の基板は好ましくは不規則な形状である。このコンテキストでは、不規則な形状に形成された保護眼鏡または基板は、正方形または長方形以外の任意の形状の保護眼鏡または基板を意味する。
【００２２】
このようにして、本発明の第１の観点によれば、所与の電圧で電力供給される回路とともに使用されるように構成された保護眼鏡が提供され、前記回路は当該保護眼鏡の曇りを防止し、保護眼鏡上の集中加熱個所発生を防止するものであり、当該保護眼鏡は、利用者の眼を保護するために構成され、利用者の眼と前記基板との間に少なくとも部分的に包囲された空間を画定するように構成された光学的に透明な基板と、前記基板上の光学的に透明で且つ電気抵抗性の薄膜導電性加熱材料からなる複数の電気的に絶縁された導電性領域であって、各領域の電力密度は、当該各領域以外の各々の領域の電力密度と同じであり、前記複数の導電性領域のうちの少なくとも１つにおける前記加熱材料は、前記複数の導電性領域のうちの別の導電性領域における前記加熱材料の特定の抵抗率毎スクウェアとは異なる特定の抵抗率毎スクウェアを有するものである、前記複数の電気的に絶縁された導電性領域とを有する。
【００２３】
または、代替的に、本発明の第１の観点の代替実施形態によれば、所与の電圧で電力供給される回路とともに使用されるように構成された保護眼鏡が提供され、前記回路は当該保護眼鏡の曇りを防止し、保護眼鏡上の集中加熱個所発生を防止するものであり、当該保護眼鏡は、利用者の眼を保護するために構成され、利用者の眼と基板との間に少なくとも部分的に包囲された空間を画定するために構成された光学的に透明な基板と、基板上の光学的に透明で且つ電気抵抗性の薄膜導電性加熱材料からなる複数の連続した導電性領域であって、各領域の電力密度は、当該各領域以外の各々の領域の電力密度と同じであり、前記複数の導電性領域のうちの少なくとも１つにおける前記加熱材料は、前記複数の導電性領域のうちの別の導電性領域における前記加熱材料の特定の抵抗率毎スクウェアとは異なる特定の抵抗率毎スクウェアを有するものである、前記複数の連続する導電性領域とを有する。
【００２４】
さらに、複数の導電性領域のうちの少なくとも１つにおける加熱材料の抵抗率毎スクウェアはまた、少なくとも部分的に、基板に対して加熱材料を適用する厚さを変化させることによって決定され得ることを上記から諒解されよう。したがって、本発明の一部としての加熱材料のいずれかの領域の抵抗率は、異なる配合を有する加熱材料を選定することと、レンズ基板への加熱材料の適用の厚さを変化させることとの一方または両方によって変化され得ることを諒解されよう。
【００２５】
本発明の保護眼鏡は、スキー用ゴーグル、潜水マスク、オートバイ・ヘルメット・バイザーまたはスノーモービル・ヘルメット・バイザーなどとともに使用のための独自の曇り防止保護眼鏡を提供する。さらに、本発明による保護眼鏡は、バイザーまたは保護眼鏡の曇りが問題になり得る、医療、ハイテク、テストまたは他の作業環境において使用するための独自の曇り防止保護眼鏡を提供する。保護眼鏡上の望ましくない集中加熱個所の除去は、各領域が、加熱されている領域のサイズにとって適切である電力密度を生じる適切なサイズおよび形状に設計され得るという点で、本発明を用いて達成される。また、本発明は、Ｃｏｒｎｅｌｉｕｓによる同時係属米国特許出願第１３／３９７，６９１号、米国特許出願公開第２０１３／０２１２７６５号に記載されているように、パルス幅変調（ｐｕｌｓｅ−ｗｉｄｔｈ  ｍｏｄｕｌａｔｅｄ：ＰＷＭ）システムの必要なしに、保護眼鏡上の集中加熱個所をも防ぎながら、曇りの防止を可能にするが、本発明はまた、他の理由によりそのように望まれる場合、そのようなＰＷＭシステムとともに使用され得る。このようにして、本発明は、保護眼鏡の加熱を達成し、したがって、保護眼鏡の加熱の平衡化、または保護眼鏡の逆にカスタマイズされたゾーン加熱が保護眼鏡自体によって設計および製造時に決定されるという点で、保護眼鏡上の集中加熱個所をも防ぎながら曇りの防止を達成する。これは、あまり複雑でなくあまり費用がかからない電子回路を使用して保護眼鏡と、したがって得られる保護眼鏡とを生成することが可能になるので、保護眼鏡、および得られるゴーグル、マスクまたは他の保護眼鏡のプロビジョンを、生成するのによりコスト効果的にし、保護眼鏡上の曇りおよび集中加熱個所を防止するのに機能的により効率的にする。
【００２６】
本発明の上記の観点は、一元的な一様に適用される加熱材料では領域を過熱させるために領域についてあまりに多くの電力を生成するであろう保護眼鏡の部分において、例えば、鼻柱にわたって望ましくない集中加熱個所を生成することなしに、曇りを防ぐために電気的回路において加熱されて保護眼鏡の内面の温度が露点の上に上げられるために適応された保護眼鏡を提供する。さらに、ＰＷＭを使用して、Ｃｏｒｎｅｌｉｕｓによる同時係属米国特許出願第１３／３９７，６９１号、米国特許出願公開第２０１３／０２１２７６５号に開示されているようにシステムの効率を最大にするために、上記の利益および性質は、ゴーグルのフレームまたはストラップ中に保持されるリチウム・イオン・バッテリーなど、単一の高度にポータブルな電源で保護眼鏡に電力供給することによって達成されることが可能である。しかしながら、本発明の助けをかりて、リチウム・イオン・バッテリーなどの１若しくはそれ以上のバッテリー、およびオン／オフスイッチから成る単純な回路は、レンズ全体にわたって一様に加熱されるか、または代替的に、カスタマイズされたパターンに従って加熱される、曇りなしゴーグルレンズを提供するのに十分であろう。
【００２７】
本発明のこの観点のデバイスは、同時係属のＣｏｒｎｅｌｉｕｓによる米国特許出願第１３／３９７，６９１号、米国特許出願公開第２０１３／０２１２７６５号に記載されているように、パルス幅変調（ｐｕｌｓｅ−ｗｉｄｔｈ  ｍｏｄｕｌａｔｅｄ：ＰＷＭ）ヒータードライバを用いてまたは用いずに、保護眼鏡の平衡化した加熱、または代替的にカスタマイズされた加熱を可能にする。したがって、本発明の方法は、生成するのが容易でコスト効果的である保護眼鏡を提供し、この保護眼鏡はまた、様々な異なる加熱されるゴーグル、マスクまたはバイザーを用いて一様なまたはカスタマイズされた加熱を可能にするように機能する。同時係属のＣｏｒｎｅｌｉｕｓによる特許出願第１３／３９７，６９１号、米国特許出願公開第２０１３／０２１２７６５号に開示されているようなＰＷＭヒータードライバは、保護眼鏡上で加熱材料の出力の可変性を可能にし得、バッテリー使用に関してシステムのより一層高い効率を可能にするであろうが、利用者が、単一のＰＷＭチャネルヒータードライバでエネルギーを節約するために可能な限り保護眼鏡の熱出力を変化させる能力なしに、単に保護眼鏡の一様なまたはカスタマイズされた加熱プロファイルを望む場合、利用者は、本発明の保護眼鏡のために単に一定電圧、一定出力の加熱システムを使用して所望の結果を達成し得るという点で、ＰＷＭヒータードライバは本発明のためには必要でない。したがって、本発明は、ゴーグル本体またはストラップ上に支持されるより小さいバッテリーの場合のように、あるいはより大きいバッテリーも利用可能である場合、スノーモービル、飛行機、自動車または他の車両上のバッテリーの場合のように、ポータブルバッテリーを利用する保護眼鏡加熱システムに関する使用のために適応され得る。
【００２８】
本発明のいずれかの上記の実施形態では、加熱材料上に非導電性保護コーティングを適用して加熱材料を保護し得る。加熱材料と基板とに固定されたこの保護コーティングは、加熱材料が、保護眼鏡上の加熱材料の機能を損ない得るスクラッチなどによって損傷を受けなくなることを保証するのを助ける。
【００２９】
本発明の保護眼鏡を製造するための方法、または本発明の得られた保護眼鏡の上記の観点のいずれも、スキー、インナーチュービング、トボガニング、アイスクライミング、スノーモービル乗車、サイクリング、ランニング、他の医療またはテスト環境において患者を扱うことなど、スポーツゴーグルまたは任意の保護保護眼鏡の製造に関する使用のために適応され得る。さらに、本発明の上記の観点のいずれかも、潜水マスク・アイ・シールドの製造において使用するために適応され得る。
【００３０】
本発明の主題は、本明細書の結論部分において特に指摘され、明確に請求される。しかしながら、動作の編成と方法の両方は、それのさらなる利点および目的とともに、添付の図面に関して取られる以下の説明を参照すれば最も良く理解され得、図面において、同じ参照符号は同じ要素を指す。
【図面の簡単な説明】
【００３１】
【図１】図１は、本発明の一観点による、保護眼鏡上の集中加熱個所を防ぎながら、保護眼鏡の曇りを防ぐためのシステムにおける使用のために保護眼鏡を適応させるための方法に関するフローチャートである
【図２】図２は、規則的な形状に形成されたレンズ基板上に複数の等しいサイズの電気的に絶縁された加熱材料領域を有し、ｄｃバッテリーと並列に接続された保護眼鏡の少なくとも一部分のグラフィック表現正面図である。
【図３】図３は、不規則な形状に形成されたレンズ基板上に複数の等長の電気的に絶縁された加熱材料領域を有し、ｄｃバッテリーと並列に接続された保護眼鏡の少なくとも一部分の代替実施形態のグラフィック表現正面図である。
【図４】図４は、保護眼鏡への電力が複数の対応するパルス幅変調ヒータードライバで制御される、図３の代替実施形態のグラフィック表現正面図である。
【図５】図５は、不規則な形状に形成されたレンズ基板上に複数の（平面図において）異なるサイズの電気的に絶縁された加熱材料領域を有し、単一の上側のバスバーと単一の下側のバスバーとを使用して単一のパルス幅変調器を介してｄｃバッテリーと並列に接続された保護眼鏡の少なくとも一部分の別の代替実施形態のグラフィック表現正面図である。
【図６ａ】図６ａは、不規則な形状に形成されたレンズ基板上に複数の（平面図において）異なるサイズの電気的に絶縁された加熱材料領域を有し、等しい厚さまたは異なる厚さのいずれかの加熱材料領域を有し得る保護眼鏡の少なくとも一部分の別の代替実施形態のグラフィック表現正面図である。
【図６ｂ】図６ｂは、レンズ基板上の複数の電気的に絶縁された加熱要素領域にわたる一様な加熱が仮定され、レンズ基板に同じ透明薄膜導電性材料の異なる厚さを適用することによって達成される、（図６ａにおいて変化する厚さの加熱要素領域を仮定して）図６ａに図示された加熱される保護眼鏡の一部の代替実施形態のグラフィック表現底面図である。
【図６ｃ】図６ｃは、レンズ基板上の複数の電気的に絶縁された加熱要素領域にわたるカスタム加熱（すなわち、中心ではより冷たく、各端部ではより熱い）が仮定され、レンズ基板に同じ透明薄膜導電性材料の異なる厚さを適用することによって達成される、（図６ａにおいて変化する厚さの加熱要素領域を仮定して）図６ａに図示された加熱される保護眼鏡の一部の代替実施形態のグラフィック表現底面図である。
【図７ａ】図７ａは、不規則な形状に形成されたレンズ基板上に複数の（平面図において）異なるサイズの連続する加熱材料領域を有し、等しい厚さまたは異なる厚さのいずれかの加熱材料領域を有し得る保護眼鏡の少なくとも一部分の別の代替実施形態のグラフィック表現正面図である。
【図７ｂ】図７ｂは、レンズ基板上の複数の連続する加熱要素領域にわたる一様な加熱が仮定され、レンズ基板に同じ透明薄膜導電性材料の異なる厚さを適用することによって達成される、（図７ａにおいて変化する厚さの加熱要素領域を仮定して）図７ａに図示された加熱される保護眼鏡の一部の代替実施形態のグラフィック表現底面図である。
【図７ｃ】図７ｃは、レンズ基板上の複数の連続する加熱要素領域にわたるカスタム加熱（すなわち、中心ではより冷たく、各端部ではより熱い）が仮定され、レンズ基板に同じ透明薄膜導電性材料の異なる厚さを適用することによって達成される、（図７ａにおいて変化する厚さの加熱要素領域を仮定して）図７ａに図示された加熱される保護眼鏡の一部の代替実施形態のグラフィック表現底面図である。
【図８】図８は、不規則な形状に形成されたレンズ基板上に複数の電気的に絶縁された加熱材料領域を有し、マルチチャネルＰＷＭ制御ゴーグル回路の場合と同様に加熱材料領域の各々をマルチチャネル回路と接続するために複数の上側のバスバーと単一の下側の接地バスバーとを使用する保護眼鏡の別の代替実施形態の概略図である。
【発明を実施するための形態】
【００３２】
図１を参照すると、開始ロケーション１０２において開始される方法１００が開示されており、この方法は、光学的に透明な保護眼鏡を電気的回路での使用のために適応させて、保護眼鏡上に集中加熱個所が生じるのを防ぐ一方で、保護眼鏡の曇りを防止するものである。方法１００は、１０２において開始した後に、１０４において、光学的に透明な保護眼鏡と保護眼鏡の外周とを画定する非導電性基板を選択する工程と、１０６において、好ましくはＤＣバッテリー電圧源（例えば、２つの４．２ＶＤＣの十分に充電されたリチウムイオンセルの出力である８．４ＶＤＣ）であるが、ＰＷＭドライバからの出力でもよい、電源電圧を決定する工程と、保護眼鏡の外周内の加熱パターンを画定するための加熱プロファイルと、１０８において、加熱プロファイルに従って（電気的に絶縁されているか連続であるかにかかわらず）複数の領域の数と各領域のサイズとを決定する工程と、１１０において、各領域の所望の電力密度（Ｐｄ）を選択する工程と、１１２において、加熱領域を保護眼鏡基板の対応する領域上にマッピングする工程と、式Ｒ＝（Ｅ２−Ｐｄ）／Ｈ２を使用して各領域の抵抗毎スクウェア（Ｒ）を計算する工程であって、Ｒ＝抵抗毎スクウェア（ｒｅｓｉｓｔａｎｃｅ  ｐｅｒ  ｓｑｕａｒｅ）、Ｅ＝電圧、Ｐｄ＝電力密度、およびＨ＝バスバー間の距離（これは、上側のバスバーと下側のバスバーとの間の高さの場合のように、垂直方向の距離であるため、本明細書ではＨとして表される）である、計算する工程と、１１６において、対応する抵抗毎スクウェアを有する加熱材料を保護眼鏡の対応する導電性領域に適用して、保護眼鏡の対応する領域の各々を、電気を伝導するように構成する工程と、１１６において、電気を伝導するように構成された領域にバスバーを接続して適用する工程であって、バスバーおよび領域は、電気を伝導してバッテリーによって電力供給される電気回路を完成するように構成されるものである、適用する工程と、を有する。図８に関して図示され以下でさらに説明するように、複数の上側のバスバーと単一のバスバーとが使用され得るか、または図５に関して図示され以下でさらに説明するように、単一の上側のバスバーと単一の下側のバスバーとが使用され得ることを諒解されよう。イオンスパッタリング、コーティング、真空蒸着、噴霧、接着剤、接着剤支持および他の方法の通常知られている方法を含む、ＩＴＯなどの加熱材料を基板に適用するいくつかの異なる方法があることを諒解されよう。
【００３３】
本発明に従って加熱レンズを作成するためのプロセスの追加の工程は、加熱材料上に非導電性保護コーティングを適用して、基板上の加熱材料を保護することを伴う。したがって、保護コーティングは加熱材料と基板とに固定されて、保護眼鏡基板上の加熱材料がスクラッチなどによって損傷を受け、その機能が喪失されることを確実に防ぐことを助長する。
【００３４】
保護眼鏡基板（例えば、図２の２１２、図３の３１２、図６ａの６０２、図７ａの７０２、または図８の８００）は、１０４において、利用者の環境における降雪、雨、風または他の比較的小さい浮遊微小粒子などのものから利用者の眼を遮蔽するのに十分に堅い、光学的に透明なポリカーボネート、他のプラスチック、強化ガラスなど、いくつかの材料のいずれかから選択され得る。スキー用ゴーグル、または他の寒冷気象ゴーグルの場合、好ましくは保護眼鏡基板（例えば、図２の２１２、図３の３１２、図６ａの６０２、図７ａの７０２、または図８の８００）は、利用者の頭部および顔に概して適合するのに十分フレキシブルであり、保護眼鏡は、好ましくはセミフレキシブルのフレーム中に保持され、このセミフレキシブルのフレームは、保護眼鏡を当該フレームの外縁の周りに保持し、また、利用者の眼の周りにおよびそれの前に密閉空間を形成するように、従来のストラップの使用によって利用者の顔から適切な距離に保護眼鏡を保持し、フレームは、典型的には利用者の顔とゴーグルの残部間の半透過性密閉を提供する。本発明とともに採用される様々な保護眼鏡のために使用される材料はまた、それらが選定された特定の目的の必要に応じて、および当業者に知られているように、破砕、クラッキングまたは場合によっては破壊に対して耐性があるべきである。
【００３５】
潜水マスクの場合、保護眼鏡基板（例えば、図２の２１２、図３の３１２、図６ａの６０２、図７ａの７０２、または図８の８００）は、典型的には、１０４において、よりいくぶん堅いプラスチック、またはガラス、材料から選択されることになり、バイザーまたは医療用フル・フェース・アイ・シールドの場合、１０４において、基板は、よりいくぶん堅いプラスチック、またはガラス、材料から同様に選択され得、これらは、保護眼鏡を所定の位置に永続的に繰り返し配置することを可能にして利用者の眼を保護するのに十分に軽量であるが、十分に堅くもある。保護眼鏡基板の選択１０４は、好ましくは、それの内部（後部）表面とそれの外部（前部）表面の両方における感触が滑らかであり、選択された加熱材料との結合を形成するように適応された材料からのものになる。保護眼鏡基板材料は当業者によく知られており、いかなるタイプの光学的に透明な保護眼鏡基板の選択も、本明細書に添付された特許請求の範囲内に入るものである。
【００３６】
さらに図１を参照すると、基板上の複数の領域の数および各領域のサイズは、加熱プロファイルに従って作製されることも、または作製されないこともある。加熱プロファイルは、実現可能な程度まで、レンズ基板にわたる一様な加熱が望ましいという、単にレンズの設計者側での要望、思考または理解であり得る。あるいは、代替的に、加熱プロファイルは、例えばスキーヤー加熱プロファイルと比較したスノーボーダーの場合が当てはまり得るように、保護眼鏡のカスタム加熱を伴い得る。したがって、保護眼鏡にわたって単に一様に加熱するのとは対照的に、保護眼鏡の１若しくはそれ以上の部分が保護眼鏡の他の部分よりも意図的に温かくされるべきである場合（例えば、保護眼鏡のある側が別の側よりも温かい場合、またはエッジが中央よりも温かい場合）、より形式的な加熱プロファイルが使用され得る。このように、例えば、スノーボーダーの場合、スノーボーダーは典型的に丘陵を下降しながら横向きに立つので、スノーボーダーの前方の足に対応するレンズの１つの側はより多くの熱を必要とし得る。一様な加熱が企図されるかカスタム加熱が企図されるかにかかわらず、加熱プロファイルは、画定されたレンズ加熱材料領域、レンズ加熱材料領域のサイズおよび形状の特定、相対的に増加された加熱または減少された加熱の所望の領域、ならびにそれぞれの領域電力密度の特定または計算のうちの１若しくはそれ以上を含む、より詳細な書込みプロファイルを含み得る。このように、加熱プロファイルは、極めて単純で、単に一様に理解され得るか、またはより複雑で一様に書き込まれ得る。加熱プロファイルは、ある導電性領域から次の導電性領域への保護眼鏡にわたる平衡したまたは一様な加熱が望まれるかどうか、あるいは所与の保護眼鏡構成または目的のために領域の各々についての完全なまたは比例の加熱のカスタムプロファイルがより望まれ得るかどうかを決定する。本発明を使用して、一様に加熱されるかまたは代替的にカスタム加熱プロファイルに従って加熱される、規則的な形状に形成された保護眼鏡と不規則な形状に形成された保護眼鏡の両方を生成し得る。
【００３７】
次に特に図２〜図８を参照すると、本発明の様々な実施形態のあまり複雑でないものからより複雑なものへの進行が示され、基板の様々なサイズおよび形状、保護眼鏡に電力供給する様々な方法（例えば、ｄｃバッテリーおよびＰＷＭ）、加熱材料の様々な配合および厚さ、様々な適用例（例えば、電気的に絶縁されたおよび連続する）、ならびに一般化された加熱または特定のマルチチャネルＰＷＭシステムへの基板のますます改良された再分割に適応するための、加熱領域のサイズおよび形状の多くの可能な組合せが図示されている。本明細書の特許請求の範囲部分に記載された本発明の範囲および趣旨から逸脱し得ない加熱される保護眼鏡レンズを形成するために、上記の基本要素の他の組合せがあり得ることを諒解されよう。例えば、本発明では、電源はレンズの上部から来るものとして示され、バスバーはレンズの上方と下方にあるが、電子工学設計の当業者であれば、電源は、請求される本発明の真の範囲および趣旨から逸脱することなく、レンズの側部またはレンズの下部のいずれかからも来得ることを諒解されよう。
【００３８】
特に図２を参照すると、並列回路２０４、２０６、２０８、２１０を介して８．４ボルト直流（ｖｏｌｔ  ｄｉｒｅｃｔ  ｃｕｒｒｅｎｔ：ＶＤＣ）電圧源２０２で上部から電力供給され、並列回路２２０、２２２、２２４を介して下部から２２６において接地される、規則的な（矩形の）保護眼鏡２１２上の３つの等しいサイズの矩形の電気的に絶縁された加熱要素領域Ａ、ＢおよびＣ（それぞれ２１４、２１６、２１８）が示されている。これらの領域Ａ、ＢおよびＣの各々は、ＩＴＯ、亜鉛インジウム酸化物（ｚｉｎｃ  ｉｎｄｉｕｍ  ｏｘｉｄｅｓ：ＺＩＯｓ）、亜鉛スズ酸化物（ｚｉｎｃ  ｔｉｎ  ｏｘｉｄｅｓ：ＺＴＯｓ）またはダブルウォールカーボンナノチューブ（ｄｏｕｂｌｅ−ｗａｌｌｅｄ  ｃａｒｂｏｎ  ｎａｎｏｔｕｂｅｓ：ＤＷＮＴｓ）など、同じ抵抗率（例えば、すべてが２０オーム毎スクウェア（ｏｈｍ  ｐｅｒ  ｓｑｕａｒｅ）の抵抗率を有するように配合された加熱材料を採用し得る）の透明で導電性の薄膜加熱体で配合されたものなど、同等の加熱要素コーティングを有する。図２には、本発明の一様に加熱される実施形態の単純バージョンが示されており、各領域は同じサイズ、同じ厚さおよび同じ化学的配合であるので、これらの領域の電力密度（ｐｏｗｅｒ  ｄｅｎｓｉｔｙ：Ｐｄ）は同じである。２０オームの抵抗率毎スクウェア（Ｒ）を仮定すれば、以下の式で各領域の電力密度を計算することができる。
【００３９】
Ｐｄ＝Ｅ２／ＲｘＨ２、ただし、Ｐｄは電力密度であり、Ｅは電圧であり、Ｒは抵抗毎スクウェアであり、Ｈは高さ（バスバー間の距離）である。
【００４０】
この式に値を加えると、８．４２／２０ｘ３２＝０．３９２ワット毎スクウェア＝Ｐｄの結果が生じる。ここでも、この電力密度は領域の各々について同じであり得、他の上記のファクタのすべて（例えば、加熱材料の配合、加熱材料の厚さおよび加熱材料の高さ）が等しくなり得るので、保護眼鏡２１２は、保護眼鏡全体にわたって一様に加熱される。興味深いことに、電力密度の式に着目すると、Ａ、ＢおよびＣが単一の加熱要素に一緒に結合された場合でも、（等しい入力電圧、等しいＨ値、加熱材料の配合、および加熱材料の厚さを仮定すると）電力密度は依然として同じであり、距離Ｌによる影響はない。したがって、規則的な形状に形成された基板のこの単純な場合では、単一の加熱要素を採用して同じ結果を達成し得るが、図２は、Ｃｏｒｎｅｌｉｕｓの特許出願第１３／３９７，６９１号、米国特許出願公開第２０１３／０２１２７６５号による別々のバッテリーまたはＰＷＭチャネル制御の場合と同様に、加熱要素を複数の領域にセグメント化することにより、各領域を別々に加熱するオプションが開かれることを図示している。さらに、一様な加熱は、長方形または正方形の基板上の薄膜加熱要素で達成することが難しくないので、図２は、単一の保護眼鏡基板に複数の加熱要素を適用する本発明の適用例のための最も単純な場合を表している。
【００４１】
さらに、図２にはバスバーが示されておらず、本発明によれば、バスバーは、保護眼鏡の所望の構成に応じて、保護眼鏡レンズ２１２自体の上にあるか、あるいはゴーグルフレーム（図示せず）中に収容され得ることが図示されている。
【００４２】
次に特に図３に参照すると、不規則な形状に形成された基板３１２について、図２に示されたものに追加の複雑さが導入されおり、これは、３つの電気的に絶縁された領域Ａ、Ｂ、Ｃ（それぞれ３１４、３１６、３１８）が、等しい高さではなく、むしろ台形形状の基板３１２に適合するように調整されていることを要求する。そのような一実施形態は、本発明を用いない場合、不規則な形状に形成された保護眼鏡基板３１２のために、保護眼鏡装置中に一様でない加熱を導入し始めているはずのタイプである。図３の実施形態は、加熱要素材料Ａ、Ｂ、Ｃ（３１４、３１６、３１８）のＨ値が高くなるほど、電力密度Ｐｄがより低くなることを図示している。したがって、２０オームの一定の抵抗率毎スクウェア（Ｒ）を仮定すれば、台形形状の基板３１２をカバーするための異なる形状Ａ、Ｂ、Ｃのために、電力密度計算は以下のように異なる結果を生じる。
【００４３】
Ａ：  Ｐｄ＝Ｅ２／ＲｘＨ２  値を加えると、８．４２／２０ｘ３２＝０．３９２ワット毎スクウェア
Ｂ：  Ｐｄ＝Ｅ２／ＲｘＨ２  値を加えると、８．４２／２０ｘ３．６２＝０．２７２ワット毎スクウェア
Ｃ：  Ｐｄ＝Ｅ２／ＲｘＨ２  値を加えると、８．４２／２０ｘ４．２２＝０．２００ワット毎スクウェア
したがって、より大きい高さを有する形状（すなわち、領域Ｃ、３１８）は、他のファクタ（入力電圧、加熱材料の厚さおよび加熱材料の抵抗率配合）が等しい場合、より短い高さ（Ｈ）を有する他の形状よりも低い（例えば、０．２００ワット毎スクウェアにおける）電力密度を有することがわかり得る。同じ電圧入力を仮定すれば、エリアの電力密度が低くなるほど、そのエリアはより低温で動作することになる。逆に、より小さい高さを有する形状（すなわち、形状Ａ、３１４）は、（入力電圧、加熱材料の厚さおよび加熱材料の抵抗率などの）他のファクタが等しい場合、より高い電力密度を有する。したがって、この実施形態における領域Ａなど、あまり高くないエリアは過熱されることになる傾向があるので、保護眼鏡の設計者および製造業者は、図５〜図８に関して後で図示および説明する所望のパラメータに従って、レンズを設計する際に選定される加熱材料の配合、適用される加熱材料の厚さ、または加熱要素の高さを変更し得るために、基板にわたる一様な加熱であるかまたはカスタム加熱であるかにかかわらず、エリアをセグメント化し、所望のプロファイルに従って電力密度プロファイルを設計することが有利である。
【００４４】
図２〜図８に関して、本発明は、単純なものからより複雑なものにわたる、保護眼鏡の複数の異なる実施形態を有することに留意されたい。本発明によるより単純な保護眼鏡の一例として、次に図３を参照すると、エリアＡ、Ｂ、Ｃ（それぞれ３１４、３１６、３１８）の配合の各々は、同じ抵抗率配合材料（８００オングストロームの厚さで２０オーム毎スクウェア）、同じ厚さおよび同じ印加電圧であると仮定される。とはいえ、加熱要素領域の異なる高さ（Ｈ）のために、本発明の適用なしでは、図３の実施形態の領域の一様でない加熱が生じ得る。本出願の発明のいずれかの実施形態の場合と同様に、一様な加熱であるかカスタム加熱であるかにかかわらず、加熱要素の抵抗率を変更し、それによりプロファイルに従って領域の電力密度を操作するために、人は加熱要素の配合または厚さを変化させ得ることを諒解されよう。
【００４５】
さらに、図３に関して、電気的に絶縁されたセグメントまたは領域Ａ、Ｂ、Ｃ（３１４、３１６、３１８）が示されているが、これらの領域は、並列回路ワイヤ３０６、３０８、３１０を介して単一の電源３０２によって駆動され、並列回路ワイヤ３２０、３２２、３２４を介して３２６において接地されることに留意されたい。単一のバスバーが暗示され（または逆に、図示の単一の電源へのおよびそれからの電力をもたらすために複数のバスバーが使用され得）、このようにして、本発明のこの実施形態は、ＰＷＭ制御された加熱を用いてまたは用いずに制御される加熱に好適になる。図示のように単一の電源３０２の場合、連続するセグメントＡ、Ｂ、Ｃも同様の結果とともに採用され得たことに留意されたい。
【００４６】
次に特に図４に参照すると、図３のものと同様である保護眼鏡および基板４１４の一実施形態が提示されている。しかしながら、図４に示されている実施形態では、加熱領域Ａ、Ｂ、Ｃ（それぞれ４１６、４１８、４２０）のための独立した接続４０８、４１０、４１２を通して保護眼鏡を駆動するためのＰＷＭ−１  ４０２、ＰＷＭ−２  ４０４、ＰＷＭ−３  ４０６を有する、Ｃｏｒｎｅｌｉｕｓの特許出願第１３／３９７，６９１号、米国特許出願公開第２０１３／０２１２７６５号に示されているような３チャネルＰＷＭ回路が指定されている。図３の場合と同様に、各領域Ａ、Ｂ、Ｃは同じ抵抗率毎スクウェア、例えば、２０オーム毎スクウェアであるが、この実施形態では、ＡとＢの領域の両方がＣの電力密度（Ｐｄ）と同じ電力密度を有するまで、ＰＷＭ出力を限定し、したがって、Ｂにはより少ない電力を送達し、Ａにはより一層少ない電力を送達することによって、各領域への電力量は制御されて、一様に加熱される保護眼鏡が提供され得る。保護眼鏡領域Ａ、Ｂ、Ｃのすべてへの最大平衡化した（一様な）電力を達成するために、（Ｃが全電力で動作していると仮定すると）ＡとＢの領域が通常ならばＣよりも熱くなるので、主に利用可能なオプションは、（この実施形態ではＰＷＭを介して）領域ＢおよびＡへの電力を限定することであることに留意されたい。
【００４７】
次に図５を参照すると、その上に４つの電気的に絶縁された加熱要素領域Ａ、Ｂ、Ｃ、Ｄ（それぞれ５１０、５１２、５１４、５１６）を有し、シングルチャネルＰＷＭ（ＰＷＭ−１）電源５０２によって回路ワイヤ５０４を介して単一の上側のバスバー５０８に、および下側のバスバー５１８から接地ワイヤ５２０に電力供給される、保護眼鏡のための不規則な形状に形成された基板５０６が示されている。
【００４８】
式Ｒ＝（Ｅ２／Ｐｄ）／Ｈ２を使用して、各領域の抵抗値（Ｒ）は計算され得、Ｅ＝８．４ボルト直流（ｖｏｌｔ  ｄｉｒｅｃｔ  ｃｕｒｒｅｎｔ：ＶＤＣ）、電力密度（ｐｏｗｅｒ  ｄｅｎｓｉｔｙ：Ｐｄ）＝０．２ワット毎スクウェア、ならびに所与の高さ（バスバー間の距離、例えば、Ｈａ＝３．０、Ｈｂ＝４．０、Ｈｃ＝４．０およびＨｄ＝２．５）という仮定によれば、以下のようになる。
【００４９】
Ａ：  Ｒ＝（Ｅ２／Ｐｄ）／Ｈ２  値を加えると、Ｒ＝（８．４２／０．２）／３２＝３９．２オーム毎スクウェア
Ｂ：  Ｒ＝（Ｅ２／Ｐｄ）／Ｈ２  値を加えると、Ｒ＝（８．４２／０．２）／４２＝２２．１オーム毎スクウェア
Ｃ：  Ｒ＝（Ｅ２／Ｐｄ）／Ｈ２  値を加えると、Ｒ＝（８．４２／０．２）／４２＝２２．１オーム毎スクウェア
Ｄ：  Ｒ＝（Ｅ２／Ｐｄ）／Ｈ２  値を加えると、Ｒ＝（８．４２／０．２）／２．５２＝５６．５オーム毎スクウェア
このようにして、これらの計算に基づいて加熱材料を適用することによって、レンズ全体にわたって一様な加熱（すなわち、等電力密度）を有する保護眼鏡が生成される。この抵抗毎スクウェアの結果は、異なる加熱要素のために異なる配合の加熱材料を選択することによって達成され得るか、または代替的に、これは、計算に従って異なる厚さの等しい抵抗率配合の加熱材料を加熱要素領域に適用することによって達成され得る。あるいは代替的に、抵抗率を変化させる両方の方法の組合せが採用され得る。最後に、カスタム加熱が所望される場合、これは、図６に関して以下でさらに指定されるように計算され、達成され得る。
【００５０】
なお図５を参照すると、一様に加熱される平衡した保護眼鏡が今や達成されているので、図示のように単一のチャネルＰＷＭを使用して入力電流を変化させて、保護眼鏡全体について電力密度の所望のレベルを達成し得る。例えば、レンズ全体にわたって一様に５０％の電力が望まれる場合、それは、本発明のこの実施形態を用いて、シングルチャネルＰＷＭ５０２を５０％オン５０％オフ設定に設定することによって達成され得る。したがって、本発明のこの実施形態では、保護眼鏡領域を平衡させることは、保護眼鏡とそれの加熱要素との構成で直接達成されているので、この平衡のためにマルチチャネルＰＷＭは必要とされない。また一方、所与の保護眼鏡にとって単に全電力印加が好ましい場合、単一のチャネルＰＷＭは、本発明のこの実施形態では、レンズ全体にわたって一様に全電力のオン／オフを提供するために、単に単一のバッテリーおよびオン／オフスイッチと交換され得る。
【００５１】
次に図６ａを参照すると、前の実施形態において提供されているよりも一層多くの電気的に絶縁された加熱要素領域Ａ〜Ｈを有する保護眼鏡基板６０２が提供されて、保護眼鏡が制御され得る程度が向上され、さらにより多くの不規則な形状に形成された保護眼鏡にわたって一様な加熱またはカスタム加熱が達成され得る程度がさらに向上されている。このように、図６ａに示されているように、図示のサイズ値を有するＡ、Ｂ、Ｃ、Ｄ、Ｅ、Ｆ、ＧおよびＨ（それぞれ６０４、６０６、６０８、６１０、６１２、６１４、６１６、６１８）という、８つの加熱要素領域を有する保護眼鏡が提供されている。
【００５２】
本発明のこの実施形態の加熱要素領域Ａ〜Ｇの抵抗率は正規化されて、図６ｂにおいて６２０、６２２、６２４、６２６、６２８、６３０、６３２、６３４で示されているように基板に適用される加熱要素材料（例えば、ＩＴＯ）の異なる厚さを使用すること、または基板に適用される加熱材料の異なる抵抗率配合（例えば、８００オングストローム厚のＩＴＯにおいて１０オーム毎スクウェア、８００オングストローム厚のＩＴＯにおいて２０オーム毎スクウェアなど）を使用することのいずれかによって、保護眼鏡基板６０２全体にわたる一様な加熱が提供されている。最後に、これらの方法の組合せが採用され得る。
【００５３】
代替的に、この実施形態の加熱要素領域Ａ〜Ｈの抵抗率は、図６ｃに示されているようにカスタマイズされて、保護眼鏡の（例えば、領域Ｃ〜Ｆにおける）内側上ではより大きい加熱が提供され、保護眼鏡の（例えば、領域Ａ〜ＢおよびＧ〜Ｈにおける）外側上ではより少ない加熱が提供され得るか、または何らかの他のカスタムプロファイルに従って提供され得る。図６ｃに示されているように、これは、保護眼鏡の各領域６３６、６３８、６４０、６４２、６４４、６４６、６４８、６５０、６５２の厚さを変更して、保護眼鏡のその部分の抵抗率を変化させることによって達成される。代替的に、これは、基板に適用される加熱材料の異なる抵抗率配合（例えば、８００オングストローム厚のＩＴＯにおいて１０オーム毎スクウェア、８００オングストローム厚のＩＴＯにおいて２０オーム毎スクウェアなど）を選定することによって達成され得る。最後に、これらの方法の組合せが同様に採用され得る。
【００５４】
したがって、保護眼鏡の一様に加熱される実施形態が望まれるか、保護眼鏡のカスタマイズされた加熱の実施形態が望まれるかにかかわらず、厚さを変化させることによって保護眼鏡の異なるセグメントの抵抗率を変化させることによって、加熱材料の異なる配合を選定することによって、またはＣｏｒｎｅｌｉｕｓの特許出願第１３／３９７，６９１号、米国特許出願公開第２０１３／０２１２７６５号に開示されているようなＰＷＭ加熱チャネル技術を利用することによって、所望の結果が達成され得ることを諒解されよう。
【００５５】
このように、領域Ａ〜Ｈを有する図６ａに示されている実施形態は、Ｒ値を正規化または等化して、例えば、加熱材料の配合選択および厚さ適用の一方または両方を使用して上記で説明したように電力密度を平衡させている。したがって、図６ａに示されている実施形態によって図示される１つの利点は、例えば、マルチチャネルＰＷＭ加熱源を使用して領域の電力密度を変化させるべきであった場合、レンズがすでに正規化されているので、ＰＷＭシステムは、望ましくない集中加熱個所を補償することが不要であり得ることである。利用可能な調整の程度の一部は、保護眼鏡の過熱エリアを補償する際に失われていることがないので、これは、今度は、ＰＷＭによるレンズ全体のより大きい範囲の制御を可能にする。
【００５６】
例として図６ａを参照すると、領域の数を増加させて、以下のように計算される（および上記で説明したように達成されることが可能な）様々な抵抗率値で示されているように、保護眼鏡上の加熱されるエリアの制御のより良好なグラニュラリティまたは程度を提供することが望ましいことがある。
【００５７】
Ａ：  Ｒ＝（Ｅ２／Ｐｄ）／Ｈ２  値を加えると、Ｒ＝（８．４２／０．２）／３２＝３９．２
Ｂ：  Ｒ＝（Ｅ２／Ｐｄ）／Ｈ２  値を加えると、Ｒ＝（８．４２／０．２）／３．７２＝２５．８
Ｃ：  Ｒ＝（Ｅ２／Ｐｄ）／Ｈ２  値を加えると、Ｒ＝（８．４２／０．２）／３．８２＝２４．４
Ｄ：  Ｒ＝（Ｅ２／Ｐｄ）／Ｈ２  値を加えると、Ｒ＝（８．４２／０．２）／４．２２＝２０．０
Ｅ：  Ｒ＝（Ｅ２／Ｐｄ）／Ｈ２  値を加えると、Ｒ＝（８．４２／０．２）／４．２２＝２０．０
Ｆ：  Ｒ＝（Ｅ２／Ｐｄ）／Ｈ２  値を加えると、Ｒ＝（８．４２／０．２）／３．８２＝２４．４
Ｇ：  Ｒ＝（Ｅ２／Ｐｄ）／Ｈ２  値を加えると、Ｒ＝（８．４２／０．２）／２．７２＝４８．４
Ｈ：  Ｒ＝（Ｅ２／Ｐｄ）／Ｈ２  値を加えると、Ｒ＝（８．４２／０．２）／２．２２＝７２．９
上記の抵抗率毎スクウェア値は、基板６０２全体にわたる一様な加熱について計算され、ＰＷＭを用いて有効電圧を変更すること、あるいは上記で説明したように適用される加熱材料の配合または適用の厚さを変更することのいずれかによって達成され得る。さらに、例えば図８において図示および説明されているように、領域の特異性が大きくなるほど、達成され得るレンズに対する制御はより大きくなり、より大きい程度の一様性がレンズ全体にわたって達成され得ることを諒解されよう。
【００５８】
次に図７ａ〜図７ｃを参照すると、複数の連続する加熱要素領域Ａ〜Ｈ（それぞれ７０４、７０６、７０８、７１０、７１２、７１４、７１６、７１８）を有する保護眼鏡基板７０２の一部が提供されている。例えば高度に不規則な形状に形成された保護眼鏡のために、所与の保護眼鏡上でより大きい程度の一様加熱の特異性が望まれるが、とはいえ、それのために、単一のバッテリーのように単純でさえある簡略化された電子回路システムが望まれる場合、本発明は、図７ａの実施形態などの実施形態を含み、ここでは、単一の上側のバスバー７５４と単一の下側のバスバー７５６とを使用して、この複数の連続する加熱要素領域と接続し得る。
【００５９】
図７ｂには、平衡した加熱保護眼鏡またはスクリーンが示されており、ここでは、図６ｂと同様に、一様な加熱は、適用される加熱材料の厚さを変化させることと、異なるエリアのために異なる配合の加熱材料を選択することとのうちの１つまたは組合せによって達成され得る。しかしながら、本実施形態では加熱材料の厚さを変化させることが好ましく、なぜならば、このようにして、レンズにわたる抵抗率の変化のより滑らかな遷移がバンディングなしに達成され得るからである。したがって、図７ｂは、領域７２０、７２２、７２４、７２６、７２８、７３０、７３２、７３４を有する、一様に加熱する保護眼鏡を示し、内部領域７２４、７２６、７２８、７３０は外部領域７２０、７２２、７３２、７３４よりも厚くて、図６ｂに関して前に説明したのと同様に、基板全体にわたって正規化された加熱を提供する。しかしながら、図７ｂに示されているように、加熱材料の連続するセグメントまたは領域間の遷移は、より滑らかであり、あまり段階状でなく、領域間のより少ないコントラストを可能にし、したがって、領域間のより滑らかな電力密度遷移を可能にする。言い換えれば、図７ｂに示されている保護眼鏡の連続する実施形態の電力密度は、連続的に可変である。
【００６０】
図７ｃには、複数の連続する加熱要素７３６、７３８、７４０、７４２、７４４、７４６、７４８、７５０、７５２を有するカスタマイズされた加熱される保護眼鏡が示されており、ここでは、図６Ｃと同様に、カスタム加熱プロファイルは、中心エリア７４０、７４２、７４４、７４６ではより温かいセグメントを提供し、外部エリア７３６、７３８、７５０、７５２ではより冷たい領域を提供する。図７ｂに関して説明したように、この実施形態を用いた電力密度遷移は、保護眼鏡にわたってあまり段階状でなく、より連続的に変化し、したがって、これらの連続する領域間のより滑らかな電力密度遷移を提供する。また、図６ａ〜図６ｃおよび図７ａ〜図７ｂの保護眼鏡の場合と同様に、図７ｃに示されている本発明の実施形態は、単一のバスバー７５４、７５６を駆動する、単一のバッテリーなどの単一の電源、または単一のチャネルＰＷＭを用いて達成され得る。
【００６１】
図６ｂ、図６ｃ、図７ｂおよび図７ｃに示されている本発明の実施形態を図示する図は、例示のためのものにすぎない。また、加熱材料の適用の厚さの相対的差異を一定の縮尺で示すための試みが行われているが、とはいえ、これらの厚さは数百オングストローム程度の厚さであるので、図面は、実際の一定の縮尺の表現ではなく、材料の相対的厚さの粗い近似を表すことを諒解されよう。
【００６２】
次に図８を参照すると、前に説明した実施形態よりも一層多くの、すなわち２４個の加熱領域、領域８０２、Ａ〜Ｘに分割された保護眼鏡基板８００が示されている。好ましくは、これらの加熱領域８０２、Ａ〜Ｘの各々は、それらが一様な加熱または所望のカスタムプロファイルのいずれかを有するという点で、上記で説明したように正規化されている。本発明のこの実施形態は、鼻柱にわたって、領域があまり高くなく（すなわち、それらがより小さいＨ値を有し）、したがって、それらが、本発明なしでは従来通り過熱を受けやすいはずであることを明確に示している。さらに、Ｃｏｒｎｅｌｉｕｓの特許出願第１３／３９７，６９１号、米国特許出願公開第２０１３／０２１２７６５号に記載されているように、複数のＰＷＭチャネルを使用して、バッテリー寿命を温存する方法で保護眼鏡加熱システムをさらに指定し駆動し得るように、複数のチャネルａ〜ｘが提供されている。さらに、図８は複数のバスバーの使用を図示しており、各チャネルの各々は、各加熱領域８０２、Ａ〜Ｘと、単一の接地バスバー８０６との独立した制御およびそれらへの電力供給を可能にする。
【００６３】
図８の本発明の実施形態とともに提供される制御のより大きく指定されたグラニュラリティのために、異なる詳細プロファイルはすべて、ゴーグル内に含まれているコンピュータマイクロプロセッサによって駆動されるのと同じ保護眼鏡で実装され得る。これらのプロファイルのいくつかの例は、スキーヤー晴天日プロファイル、スノーボーダーアイシング状態プロファイル、ロッククライマー降雨状態プロファイル、レスキュー・パトロール・プロファイル、スノーモービラープロファイルおよび潜水マスクプロファイルなどを含む。
【００６４】
本発明の好ましい実施形態について図示および説明されたが、本発明のより広い観点において本発明から逸脱することなく、多くの変更および修正が行われ得ることが当業者には明らかであろう。例えば、当業者は、請求される本発明の真の趣旨から逸脱することなく、本発明の様々な実施形態の様々な構成要素を混合し、整合させ得ることを諒解されよう。添付の特許請求の範囲は、したがって、本発明の真の趣旨および範囲内に入るすべてのそのような変更および修正を包含するものである。
【図１】
2016539667.tif 000003
【図２】
2016539667.tif 000004
【図３】
2016539667.tif 000005
【図４】
2016539667.tif 000006
【図５】
2016539667.tif 000007
【図６ａ】
2016539667.tif 000008
【図６ｂ】
2016539667.tif 000009
【図６ｃ】
2016539667.tif 000010
【図７ａ】
2016539667.tif 000011
【図７ｂ】
2016539667.tif 000012
【図７ｃ】
2016539667.tif 000013
【図８】
2016539667.tif 000014
【国際調査報告】
2016539667.tif 000015